(57)【要約】      （修正有）【課題】金属製環部材、筒状金具を有しない紐のみによってキャップと物品本体を、使用者自らが紐のみによってキャップと物品本体を容易に繋ぐことを可能とするキャップ付き物品を提供する。【解決手段】キャップ装着部位２を有する物品本体３と、物品本体３に設けられた非ループの１本紐は通すがその結び目は通さない物品本体側紐通し結び目止め孔４と、物品本体側紐通し結び目止め孔４に連通形態とされた物品本体側結び目収納部１２と、キャップ装着部位２に装着するキャップ５と、キャップ５に設けられた非ループの１本紐は通すがその結び目は通さないキャップ側紐通し結び目止め孔７と、キャップ側紐通し結び目止め孔７に連通形態とされたキャップ側結び目収納部１３と、連結紐１６に使用する非ループの１本紐からなる第１の紐と、とを備えている。【選択図】図２
2016033810.tif 000002
【特許請求の範囲】
【請求項１】
キャップ装着部位を有する物品本体と、
この物品本体側に設けられた、非ループの１本紐は通すがその第１の結び目および２本紐形態は通さない形態の物品本体側紐通し結び目止め孔と、
前記物品本体側紐通し結び目止め孔に連通した、前記第１の結び目を収納する物品本体側結び目収納部と、
前記キャップ装着部位に装着するキャップと、
このキャップ側に設けられた、前記非ループの１本紐は通すがその第２の結び目および２本紐形態は通さない形態のキャップ側紐通し結び目止め孔と、とを備えるとともに、
前記物品本体側紐通し結び目止め孔の前記非ループの１本紐の一方端を入れる開口が外に露出した露出形態であり、
前記物品本体側紐通し結び目止め孔に入れた前記非ループの１本紐の前記一方端が、前記物品本体側結び目収納部を通って外にでることを可能にしている、該物品本体側結び目収納部の開口が外に露出した露出形態であり、
前記物品本体側結び目収納部は、前記物品本体側紐通し結び目止め孔から入れられて押し進められる前記非ループの１本紐の前記一方端が当たり止められる部位の無い形態で、該押し進められる前記非ループの１本紐の前記一方端は前記物品本体側結び目収納部の開口から、止められることなく前記物品本体の外に出すことができるようになっていて、
前記キャップ装着部位に前記キャップを装着したままのキャップ装着状態で、前記物品本体側紐通し結び目止め孔に前記非ループの１本紐の一方端を通し、前記物品本体側結び目収納部から該一方端を出し、その出た紐部位に前記第１の結び目を形成し、該第１の結び目を前記物品本体側結び目収納部に収納し、
前記キャップ側紐通し結び目止め孔に前記非ループの１本紐の他方端を通し、その出た紐部位に前記第２の結び目を形成し、
以上のようにして、前記物品本体と前記キャップを前記非ループの１本紐によって繋ぐことを可能とした、あるいは、繋いでなることを特徴とするキャップ付き物品。
【請求項２】
キャップ装着部位を有する物品本体と、
この物品本体側に設けられた、非ループの１本紐は通すがその第１の結び目および２本紐形態は通さない形態の物品本体側紐通し結び目止め孔と、
前記物品本体側紐通し結び目止め孔に交差形態で連通された、貫通開口形態の両開口が外に露出した露出形態の、前記第１の結び目を収納する物品本体側結び目収納部と、
前記キャップ装着部位に装着するキャップと、
このキャップ側に設けられた、前記非ループの１本紐は通すがその第２の結び目および２本紐形態は通さない形態のキャップ側紐通し結び目止め孔と、とを備えるとともに、
前記物品本体側紐通し結び目止め孔の前記非ループの１本紐の一方端を入れる開口が外に露出した露出形態であり、
前記キャップ装着部位に前記キャップを装着したままのキャップ装着状態で、前記物品本体側紐通し結び目止め孔に前記非ループの１本紐の一方端を通し、前記物品本体側結び目収納部から該一方端を出し、その出た紐部位に前記第１の結び目を形成し、該第１の結び目を前記物品本体側結び目収納部に収納し、
前記キャップ側紐通し結び目止め孔に前記非ループの１本紐の他方端を通し、その出た紐部位に前記第２の結び目を形成し、
以上のようにして、前記物品本体と前記キャップを前記非ループの１本紐によって繋ぐことを可能とした、あるいは、繋いでなることを特徴とするキャップ付き物品。
【発明の詳細な説明】
【技術分野】
【０００１】
本発明は、キャップ付きＵＳＢメモリなどのキャップ付き電子メモリ、キャップ付き印鑑、キャップ付きコネクタを有するケーブルであるキャップ付き物品に係り、詳しくは、キャップが紛失しないようにできるないし紛失しないようにされたキャップ付き物品に関する。
【背景技術】
【０００２】
従来、図１４に示すような、物品本体１０１と、この物品本体１０１に設けられたＵＳＢコネクタからなる突出部位１０２と、この突出部位１０２を収める凹部有して該突出部１０２に被せるキャップ１０３と、このキャップ１０３のキャップ本体１０４の外側に設けられた環部材を通し取付ける孔を有する環部材取付部１０５と、物品本体１０１の外側に設けられたループ紐１０６を通し取付けるストラップホール１０７と、ループ紐１０６、その先端に設けた筒状金具１０８、この筒状金具１０８に回動自在に設けられた環部材１０９とからなるループ型ストラップ１１０とからなるとともに、前記環部材取付部１０５に前記環部材１０９を通し取付け、前記ストラップホール１０７に前記ループ紐１０６を通し出して、出たループ部位にキャップ１０３を潜らせて、キャップ１０３を物品本体１０１にループ型ストラップ１１０によって取付状態として、キャップが紛失しないようにしている、キャップ付きＵＳＢメモリなどのキャップ付き電子メモリからなるキャップ付き物品１００が知られている。
【先行技術文献】
【特許文献】
【０００３】
【特許文献１】特になし
【発明の概要】
【発明が解決しようとする課題】
【０００４】
上述した従来技術は次に述べるような欠点を有するものであった。
（１）ループ型ストラップ１１０が予めその長さが決められているものであるため、使用者が自らの作業・操作で好みの長さ、好みの色彩の紐、ビーズなどの飾り物を飾り付ける等のことができない、あるいはでき難いという欠点を有するものであった。
（２）また、取付け取外しをするためには、金属製環部材１０９をペンチというどこにでもあり容易に使えるとはいえない道具を使用して開き外す、取付ける際にもペンチによって閉じ取付け操作をしなければならないものであった。
（３）また、金属製環部材１０９、筒状金具１０８、ループ紐という煩雑な形態景観は、統一感に欠ける、シンプルさに欠ける、ガチャガチャ感のある騒がしい美観のものであった。
（４）また、製造段階の組立工程で、ループ紐の筒状金具１０８への取付け、筒状金具１０８とキャップ１０３の金属製環部材１０９による連結作業が必要であり、製造・組立コストがかかるという欠点を有するものであった。
【０００５】
本発明は以上のような従来技術の欠点に鑑み、金属製環部材、筒状金具を有しない紐のみによってキャップと物品本体を繋いで（連結して）なる、ないし、使用者自らによる紐のみによってキャップと物品本体を容易に繋ぐ（連結する）ことを可能とするとともに、使用者自らによる紐の取り換えが身近なハサミ、爪切り、カッターなどの紐の切断手段さあれば容易にできるキャップ付き物品の提供を目的としている。
【課題を解決するための手段】
【０００６】
上記目的を達成するために、本発明は以下のような構成としている。
＜請求項１記載の発明＞
キャップ装着部位を有する物品本体と、
この物品本体側に設けられた、非ループの１本紐は通すがその第１の結び目および２本紐形態は通さない形態の物品本体側紐通し結び目止め孔と、
前記物品本体側紐通し結び目止め孔に連通した、前記第１の結び目を収納する物品本体側結び目収納部と、
前記キャップ装着部位に装着するキャップと、
このキャップ側に設けられた、前記非ループの１本紐は通すがその第２の結び目および２本紐形態は通さない形態のキャップ側紐通し結び目止め孔と、とを備えるとともに、
前記物品本体側紐通し結び目止め孔の前記非ループの１本紐の一方端を入れる開口が外に露出した露出形態であり、
前記物品本体側紐通し結び目止め孔に入れた前記非ループの１本紐の前記一方端が、前記物品本体側結び目収納部を通って外にでることを可能にしている、該物品本体側結び目収納部の開口が外に露出した露出形態であり、
前記物品本体側結び目収納部は、前記物品本体側紐通し結び目止め孔から入れられて押し進められる前記非ループの１本紐の前記一方端が当たり止められる部位の無い形態で、該押し進められる前記非ループの１本紐の前記一方端は前記物品本体側結び目収納部の開口から、止められることなく前記物品本体の外に出すことができるようになっていて、
前記キャップ装着部位に前記キャップを装着したままのキャップ装着状態で、前記物品本体側紐通し結び目止め孔に前記非ループの１本紐の一方端を通し、前記物品本体側結び目収納部から該一方端を出し、その出た紐部位に前記第１の結び目を形成し、該第１の結び目を前記物品本体側結び目収納部に収納し、
前記キャップ側紐通し結び目止め孔に前記非ループの１本紐の他方端を通し、その出た紐部位に前記第２の結び目を形成し、
以上のようにして、前記物品本体と前記キャップを前記非ループの１本紐によって繋ぐことを可能とした、あるいは、繋いでなることを特徴とするキャップ付き物品である。
【０００７】
キャップ付き物品とは、キャップ付きＵＳＢメモリなどのキャップ付き電子メモリ、キャップ付き印鑑、キャップ付きコネクタを有するケーブル、キャップ付き筆記具などである。
【０００８】
＜請求項２記載の発明＞
キャップ装着部位を有する物品本体と、
この物品本体側に設けられた、非ループの１本紐は通すがその第１の結び目および２本紐形態は通さない形態の物品本体側紐通し結び目止め孔と、
前記物品本体側紐通し結び目止め孔に交差形態で連通された、貫通開口形態の両開口が外に露出した露出形態の、前記第１の結び目を収納する物品本体側結び目収納部と、
前記キャップ装着部位に装着するキャップと、
このキャップ側に設けられた、前記非ループの１本紐は通すがその第２の結び目および２本紐形態は通さない形態のキャップ側紐通し結び目止め孔と、とを備えるとともに、
前記物品本体側紐通し結び目止め孔の前記非ループの１本紐の一方端を入れる開口が外に露出した露出形態であり、
前記キャップ装着部位に前記キャップを装着したままのキャップ装着状態で、前記物品本体側紐通し結び目止め孔に前記非ループの１本紐の一方端を通し、前記物品本体側結び目収納部から該一方端を出し、その出た紐部位に前記第１の結び目を形成し、該第１の結び目を前記物品本体側結び目収納部に収納し、
前記キャップ側紐通し結び目止め孔に前記非ループの１本紐の他方端を通し、その出た紐部位に前記第２の結び目を形成し、
以上のようにして、前記物品本体と前記キャップを前記非ループの１本紐によって繋ぐことを可能とした、あるいは、繋いでなることを特徴とするキャップ付き物品である。
【０００９】
【００１０】
【００１１】
＜請求項５記載の発明＞
【発明の効果】
【００１２】
以上の説明から明らかなように、本発明にあっては次に列挙する効果が得られる。
＜請求項１記載の発明の効果＞
キャップ装着部位を有する物品本体と、
この物品本体側に設けられた、非ループの１本紐は通すがその第１の結び目および２本紐形態は通さない形態の物品本体側紐通し結び目止め孔と、
前記物品本体側紐通し結び目止め孔に連通した、前記第１の結び目を収納する物品本体側結び目収納部と、
前記キャップ装着部位に装着するキャップと、
このキャップ側に設けられた、前記非ループの１本紐は通すがその第２の結び目および２本紐形態は通さない形態のキャップ側紐通し結び目止め孔と、とを備えるとともに、
前記物品本体側紐通し結び目止め孔の前記非ループの１本紐の一方端を入れる開口が外に露出した露出形態であり、
前記物品本体側紐通し結び目止め孔に入れた前記非ループの１本紐の前記一方端が、前記物品本体側結び目収納部を通って外にでることを可能にしている、該物品本体側結び目収納部の開口が外に露出した露出形態であり、
前記物品本体側結び目収納部は、前記物品本体側紐通し結び目止め孔から入れられて押し進められる前記非ループの１本紐の前記一方端が当たり止められる部位の無い形態で、該押し進められる前記非ループの１本紐の前記一方端は前記物品本体側結び目収納部の開口から、止められることなく前記物品本体の外に出すことができるようになっていて、
前記キャップ装着部位に前記キャップを装着したままのキャップ装着状態で、前記物品本体側紐通し結び目止め孔に前記非ループの１本紐の一方端を通し、前記物品本体側結び目収納部から該一方端を出し、その出た紐部位に前記第１の結び目を形成し、該第１の結び目を前記物品本体側結び目収納部に収納し、
前記キャップ側紐通し結び目止め孔に前記非ループの１本紐の他方端を通し、その出た紐部位に前記第２の結び目を形成し、
以上のようにして、前記物品本体と前記キャップを前記非ループの１本紐によって繋ぐことを可能とした、あるいは、繋いでなることを特徴とするキャップ付き物品であるので、次に述べるような効果を奏する。
（１）物品本体とキャップを繋ぐ（連結する）ものが非ループの１本紐のみという、金属製環部材も円筒形金属部材も一切ない無い、とてもシンプルな景観形態とシンプル美観を実現するという効果を奏する。
（２）使用者自らが、身近な切断具であるハサミ、爪切り、カッターなどの紐を切断できる切断手段があれば、好みの長さ（色の異なる紐がある場合は好みの色の紐によって）の非ループの１本紐でキャップと物品本体を繋いで、物品本体とキャップを好みの非ループの１本紐で繋いだ形態を容易に形成可能にするという効果を奏する。
（３）環部材１０９や筒状金具１０８を一切有さない、非ループの１本紐のみであるので、従来の物に比べて低コストにできるという効果を奏する。
（４）物品本体、キャップの一方に取付け状態で、紐の他方からビーズなどを通し入れて、簡単に飾り物品による飾り付けができるという効果を奏する。
【００１３】
また、本発明の提供形態は、購入者ないし使用者自らが好みの長さの連結紐で連結することができるようにするのが最良の提供形態であり、その場合、紐をキャップおよび物品本体とは別体での提供となるので、紐による連結組立作業が必要なくなり、組み立てコストを解消することができるという効果を奏する。
【００１４】
【００１５】
【００１６】
【００１７】
【図面の簡単な説明】
【００１８】
【図１】本発明の実施例１の包装状態図、連結紐による連結状態でキャップと外した状態の斜視図およびキャップをした状態の斜視図。
【図２】本発明の実施例１のキャップを外した状態の部分断面図および連結紐で連結した状態の部分断面図。
【図３】本発明の実施例２のキャップを外した状態の正面図、連結紐で連結した状態の正面図および部分拡大断面図。
【図４】本発明の実施例２の連結紐に飾り物品を取付けた状態の正面図。
【図５】本発明の実施例２の連結紐に他の飾り物品を取付けた状態の正面図。
【図６】本発明の実施例３のキャップを外した状態の側面図および連結紐で連結しキャップを装着した状態の側面図。
【図７】本発明の実施例４のキャップを外した状態の正面図および連結紐で連結しキャップを装着した状態の側面図。
【図８】本発明の実施例５の連結紐で連結しキャップを外した状態の正面図。
【図９】本発明の実施例６のキャップを外した状態の正面図および連結紐で連結しキャップを装着した状態の側面図。
【図１０】本発明の実施例６のキャップを外した状態の側面図および紐で連結しキャップを装着した状態の側面図。
【図１１】本発明の実施例６の開閉部有り環部材の正面図。
【図１２】本発明の実施例７のキャップを外した状態の側面図および紐で連結しキャップを装着した状態の側面図。
【図１３】本発明の実施例７の閉じ環部材の正面図。
【図１４】従来技術を示す斜視図。
【発明を実施するための形態】
【００１９】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００２０】
図１、図２に示す本発明の実施例１において、キャップ付き物品１は次に述べるような構成となっている。
ＵＳＢメモリのプラグ端子からなるキャップ装着部位２を有するＵＳＢメモリ本体からなる物品本体３と、
この物品本体３に設けられた、非ループの１本紐は通すがその結び目および２本紐形態は通さない形態の物品本体側紐通し結び目止め孔４と、
物品本体３に設けられた、物品本体側紐通し結び目止め孔４に連通形態とされた貫通開口形態の物品本体側結び目収納部１２と、
前記キャップ装着部位２が収まる端子収納部１１を有し、該キャップ装着部位２に装着するキャップ５と、
このキャップ５のキャップ本体６に設けられた、非ループの１本紐は通すがその結び目および２本紐形態は通さない形態のキャップ側紐通し結び目止め孔７と、
キャップ５に設けられた、キャップ側紐通し結び目止め孔７に連通形態とされた貫通開口形態のキャップ側結び目収納部１３と、
非ループの１本紐からなる第１の紐８と、
非ループの１本紐からなる前記第１の紐８とは色の異なる第２の紐９と、とを備えている。
物品本体３、キャップ５、第１の紐８および第２の紐９は袋形態の包装容器１０に収納した形態で提供される。
【００２１】
使用者は、物品本体側紐通し結び目止め孔４に第１の紐８の一方端を通し、物品本体側結び目収納部１２から外に引き出し、出た部位に第１の結び目１４を形成し、
キャップ側紐通し結び目止め孔７に第１の紐８の他方端を通し、キャップ側結び目収納部１３から外に引き出し、出た部位で紐の長さを好みの長さとする位置に第２の結び目１５を形成し、
物品本体３およびキャップ５を引き離し操作して第１の紐８を緊張させて、第１の結び目１４および第２の結び目１５を締め、
物品本体側結び目収納部１２から第１の結び目１４側を引き出し、余分な紐部位を切除し、
紐先端が解れる形態の編組紐などである場合は、紐の先端に接着剤を塗布し拭き取る、あるいはライターの炎で炙り融かすなどして、先端ほつれが生じないように処理し（先端解れの無い紐は必要ない。）、
キャップ側結び目収納部１３から第２の結び目１５側を引き出し、余分な紐部位を切除し、
紐の先端に接着剤を塗布し拭き取る、あるいはライターの炎で炙り融かすなどして、先端ほつれが生じないように処理し（先端解れの無い紐は必要ない。）、
以上のようにして、物品本体３とキャップ５を非ループの１本紐である第１の紐８からなる連結紐１６ａによって繋いだ（連結した）形態を実現する。
【００２２】
第１の紐８、第２の紐９は、５０ｃｍｍ以上の長さのものとされ、余分な長い紐があることによって、使用者は物品本体３とキャップ５の連結紐１６を、何回も新たなものに変えることを容易にし、かつ、変えたいという気持ちを刺激するようにしている。
これは、使用者に連結紐にかかわる略全ての権限、決定権および裁量権が与えることを意味し、よって、紐で繋ぐ自由は使用者にあるという、形態を実現するものである。
【００２３】
ハサミ、爪切りなどの切断手段、紐の先端ほつれが生じないようにする先端ほつれ防止手段（ライター、ボンド（登録商標）などの接着剤）を、包装容器１０に入れ、提供するのがよい。
こうすることで、購入後直ぐにでも連結作業に取り掛かることを可能できる。
【００２４】
物品本体３とキャップ５を連結紐１６ａないし連結紐１６ｂによって連結した連結形態で、購入者に提供される形態もよいことは言うまでもない。
そのさいも、交換用の色彩の異なる紐が添付され、紐を交換したくなる遊び心を刺激するようにするのがよい。
【実施例２】
【００２５】
図３〜図５に示す本発明の実施例２において、前記実施例１と主に異なる点は、物品本体側結び目収納部を、物品本体側紐通し結び目止め孔４と同方向の直線穴形態で、物品本体３の他方の側面から物品本体側紐通し結び目止め孔４があけられている他方の側面に向けて真っ直ぐにあけられた形態の物品本体側結び目収納部２０とし、
キャップ側結び目収納部を、キャップ側紐通し結び目止め孔７と同方向の直線穴形態で、キャップ本体６の他方の側面からキャップ側紐通し結び目止め孔７があけられている他方の側面に向けて真っ直ぐにあけられた形態のキャップ側結び目収納部２１としてなる、キャップ付き物品２２を形成した点にある。
物品本体側紐通し結び目止め孔４および物品本体側結び目収納部２０の形態と、キャップ側紐通し結び目止め孔７およびキャップ側結び目収納部２１の形態とは、略同様な形態である。
【００２６】
図４において、連結紐１６ａにビーズ２４を多数個通し飾り、かつ、中央のビーズ２４に紐２５を設け、該紐２５の先端に熊形態の飾り物品２６を設けた飾り形態を形成している。
【００２７】
図６において、連結紐１６ａに指、フック、突起などに掛ける樹脂製のスプリング環２７を設けた飾り形態を形成している。
【実施例３】
【００２８】
図６に示す本発明の実施例３において、前記実施例２と主に異なる点は、
物品本体側紐通し結び目止め孔４を正面側から背面側に向けてあけ、かつ、物品本体側結び目収納部２０を背面側から正面側に向けてあけた形態とし、
キャップ側紐通し結び目止め孔７を正面側から背面側に向けてあけ、かつ、キャップ側結び目収納部２１を背面側から正面側に向けてあけた形態とし、
以上の形態としたキャップ付き物品２９を形成した点にある。
連結紐は、第２の紐９を使用した連結紐１６ｂとし、ここでは長い形態とした。連結紐１６ｂの結び目１５の先に延びる部位は、結び目１５がキャップ側結び目収納部２１の最奥に収納された状態でも、キャップ側結び目収納部２１から突出しされた指で摘まめる長さの摘み部位３０としている。
【実施例４】
【００２９】
図７に示す本発明の実施例４において、前記実施例１と主に異なる点は、以下のようなキャップ付き物品３２を形成した点にある。
キャップ付き物品３２は、
印字体３３を先端に設けたキャップ装着部位３４を突出形態で有する容器体からなる物品本体３５と、
この物品本体３５の側面に突出形態で設けられた物品本体側紐取付部３６と、
この物品本体側紐取付部３６に上部から下方に向けた形態であけられた、非ループの１本紐は通すがその結び目および２本紐形態は通さない形態の物品本体側紐通し結び目止め孔３７と、
物品本体側紐取付部３６に設けられた、物品本体側紐通し結び目止め孔３７に向けて下方側から連通形態とされた物品本体側結び目収納部３８と、
キャップ装着部位３４が収まる印部収納部を有し、キャップ装着部位３４に被せ形態で装着するキャップ３９と、
このキャップ３９のキャップ本体４０の上部に設けられたキャップ側紐取付部４１と、
このキャップ側紐取付部４１の上部から下方に向けた形態であけられた、非ループの１本紐は通すがその結び目および２本紐形態は通さない形態のキャップ側紐通し結び目止め孔４２と、
キャップ側紐取付部４１の側部の一方側から側部の他方側に貫通形態でかつキャップ側紐通し結び目止め孔４２と交差連通形態であけられた、下部面を傾斜面４４としてなるキャップ側結び目収納部４３と、
非ループの１本紐からなる第１の紐８と、
非ループの１本紐からなる前記第１の紐８とは色の異なる第２の紐９と、とを備えている。
前記実施例１と同様に、物品本体３、キャップ５、第１の紐８および第２の紐９は袋形態の包装容器１０に収納した形態で提供される。
【００３０】
キャップ側紐通し結び目止め孔４２から差し込まれた紐の先端は、キャップ側結び目収納部４３の傾斜面４４である下部面に当たるのであるが、該傾斜面４４によって押し込まれる紐の先端は容易に方向を下り方向に変えるので、紐の通し操作が煩わしさなくスムーズに行える。
【００３１】
実施例２（図３）、実施例３（図６）の形態のように、キャップ本体４０、物品本体３５の側面に、紐通し結び目止め孔およびそれに連通する結び目収納部を直線的に設ける形態もよい。
また、キャップ本体４０の上部、物品本体３５下部に紐通し結び目止め孔をそれぞれ設け、キャップ本体４０、物品本体３５そのものを結び目収納部とする形態もよい。
また、キャップ本体４０の上部、物品本体３５下部に紐通し結び目止め孔をそれぞれ設け、キャップ本体４０の上部壁を厚くし、物品本体３５の下部壁を厚くし、紐通し結び目止め孔に連通する凹み形態の結び目収納部を設けた形態とするのもよい。
【実施例５】
【００３２】
図８に示す本発明の実施例５において、前記実施例４と主に異なる点は、
物品本体側紐取付部を、物品本体３５の下部に後付けで接着ないし嵌め込み形態で取付けてなる、円盤形態の物品本体側紐通し結び目止め孔４および物品本体側結び目収納部２０を有して成る物品本体側紐取付部５０とし、
キャップ側紐取付部を、キャップ本体４０の上部に後付けで接着ないし嵌め込み形態で取付けてなる、円盤形態のキャップ側紐通し結び目止め孔７およびキャップ側結び目収納部２１を有して成るキャップ側紐取付部５１としてなる、キャップ付き物品５２を形成した点にある。
【実施例６】
【００３３】
図９に示す本発明の実施例６において、キャップ付き物品６０は次に述べるような構成となっている。
電線コード５９の先端に設けられたコネクタ本体からなる物品本体６１と、
この物品本体６１の先端に設けられたコネクタからなるキャップ装着部位６２と、
物品本体６１の側面に該物品本体６１の成型時に一体成型によって一体的に形成され設けられた紐取付部６３と、
この紐取付部６３の上部面から下方に向けた形態で設けられた、非ループの１本紐は通すがその結び目および２本紐形態は通さない形態の物品本体側紐通し結び目止め孔６４と、
紐取付部６３の下部面から上方に向けた形態で設けられた、物品本体側紐通し結び目止め孔６４に連通形態とされた物品本体側結び目収納部６５と、
前記キャップ装着部位６２が収まる端子収納部を有し、該キャップ装着部位６２に装着するキャップ６６と、
このキャップ６６のキャップ本体６７の上部面から下方に向けて傾斜形態で設けられた、非ループの１本紐は通すがその結び目および２本紐形態は通さない形態のキャップ側紐通し結び目止め孔６８と、
キャップ６６に一方の側面から他方の側面に貫通形態で設けられた、キャップ側紐通し結び目止め孔６８に連通形態とされたキャップ側結び目収納部６９と、とを備えた構成となっている。
非ループの１本紐からなる第１の紐８と、非ループの１本紐からなる前記第１の紐８とは色の異なる第２の紐９と、とを備え包装容器１０に収納した形態で提供されることは前記実施例１と同様の提供形態である。
献血紐の取付け取外しは前記実施例１と同様である。
【００３４】
物品本体６１と紐取付部６３の間には溝形態の紐を巻き付けるための紐巻き付け部７０が設けられ、連結紐１６を巻き付けて、キャップのぶら下がり距離を短くすることができるようになっている。
キャップ側紐通し結び目止め孔６８がキャップ本体６７の上部に設けられ、連結紐１６がキャップ６６の上部面から引き出される形態となるので、キャップ６６は端子収納部の開口は下向きとなり埃等が入ることが防止されるぶら下がり形態となる。
【実施例７】
【００３５】
図１０、図１１に示す本発明の実施例７において、前記実施例３と主に異なる点は、連結紐を一方の先端に開閉口を有する開閉部有り環部材７５を設けてなる開閉部材付連結紐７６とした点にある。
このような形態とすることにより、例えば、図１０に示すように、開閉部材付連結紐７６の何も設けない他方側を、まずキャップ側結び目収納部２１から入れキャップ側紐通し結び目止め孔７から出し、さらに物品本体側紐通し結び目止め孔４に通し、物品本体側結び目収納部２０から出し、第１の結び目１４を形成して取付け状態を実現している。
例えば、バックの肩掛けバンド、バンクの握り、両端閉じ掛け棒体、壁のフックなどの掛け部位７７に掛け、開閉部有り環部材７５の開閉口を開いて開閉部材付連結紐７６の紐を入れ閉じた状態とすることにより、掛けループを形成して、掛け部位７７から外れない掛け状態を実現できる。
【００３６】
開閉部材付連結紐７６は図１０の右図のように、キャップ５と物品本体３に取付けた連結形態で提供する形態でもよい。
また、開閉部材付連結紐７６とキャップ５および物品本体３とは別体（バラ状態）で設け、使用者がキャップ５と物品本体３を好みの長さとした開閉部材付連結紐７６で連結するようにするのもよい。
【００３７】
開閉部材には、蟹環、引き環、茄子スプリング開閉型など多様な形態がある。
【００３８】
開閉部有り環部材７５は図１１に示すように、蟹環と呼ばれる金属製の開閉環部８０と、この開閉環部８０の根本に設けられた小環部をピン８１で取付けてなる合成樹脂製部材の紐取付け体８２とからなっていて、紐取付け体８２には、非ループの１本紐は通すがその結び目は通さない傾斜形態の開閉環部材側紐通し結び目止め孔８３、および、該開閉環部材側紐通し結び目止め孔８３に横向き交差形態で連通する貫通孔形態の結び目を収納する結び目収納部８４を備え、かつ、開閉環部８０に紐を出し入れ可能とする、操作突起８５に指を当て引き操作で開閉する開閉操作形態の開閉部８６を備えてなる形態となっている。
【００３９】
キャップ側あるいは物品本体側のいずれかの、側紐通し結び目止め孔および結び目収納部が、そのような孔形態ではない、紐を通し且つ開閉部材は通さない形態の単なる貫通孔とするのもよい。
【実施例８】
【００４０】
図１２、図１３に示す本発明の実施例８において、前記実施例７と主に異なる点は、肉盛部９１に連結紐を他方の先端に非ループの１本紐は通すがその結び目は通さない形態の閉じ環部材側紐通し結び目止め孔９４および該閉じ環部材側紐通し結び目止め孔９４に横向き交差形態で連通する貫通孔形態の結び目を収納する結び目収納部９５を備え、肉盛部９１の下部に該肉盛部９１と一体成型により設けられた、閉じ環形態の閉じ環部９２を備えてなる閉じ環部材９３を設けた点にある。
【００４１】
閉じ環部材側紐通し結び目止め孔９４あるいは開閉環部材側紐通し結び目止め孔８３のいずれか一方に紐を通しその結び目で抜けない形態とされた一方紐取付け形態で設けられ、あるいは、紐と開閉口有り環部材７５および閉じ環部材９５が別体形態（バラ状態）で設けられる。
【００４２】
［付記１］
キャップ装着部位を有する物品本体と、
この物品本体側に設けられた、非ループの１本紐は通すがその結び目および２本紐形態は通さない形態の物品本体側紐通し結び目止め孔と、
前記キャップ装着部位に装着するキャップと、
このキャップ側に設けられた、非ループの１本紐は通すがその結び目および２本紐形態は通さない形態のキャップ側紐通し結び目止め孔と、とを備えるとともに、
前記物品本体側紐通し結び目止め孔に前記非ループの１本紐の一方端を通し、その出た紐部位に第１の結び目を形成し、
前記キャップ側紐通し結び目止め孔に前記非ループの１本紐の他方端を通し、その出た紐部位に第２の結び目を形成し、
以上のようにして、前記物品本体と前記キャップを前記非ループの１本紐によって繋ぐことを可能とした、あるいは、繋いでなることを特徴とするキャップ付き物品。
［付記２］
前記物品本体側紐通し結び目止め孔に連通する物品本体側結び目収納部が設けられ、該物品本体側結び目収納部に前記第１の結び目が収納されるようにし、
前記キャップ側紐通し結び目止め孔に連通するキャップ側結び目収納部が設けられ、該キャップ側結び目収納部に前記第２の結び目が収納されるようにしてなることを特徴とする付記１に記載のキャップ付き物品。
［付記３］
前記物品本体と、前記キャップと、該物品本体と該キャップとは別体である非ループの１本紐とを備えてなるとともに、該非ループの１本紐によって前記物品本体と前記キャップを使用者が繋ぐことを可能としたことを特徴とする付記１、２のいずれか１項に記載のキャップ付き物品。
［付記４］
前記非ループの１本紐を、色彩の異なる複数本を設けてなることを特徴とする付記３記載のキャップ付き物品。
［付記５］
非ループの１本紐は通すがその結び目は通さない形態の開閉環部材側紐通し結び目止め孔を備え、かつ、開閉環部に紐を出し入れ可能とする開閉操作形態の開閉部を備えてなる開閉部有り環部材が、前記開閉環部材側紐通し結び目止め孔に紐を通しその結び目で抜けない形態とされた紐取付け形態で設けられ、あるいは、紐と前記開閉部有り環部材が別体形態で設けられてなることを特徴とする付記１〜４のいずれか１項に記載のキャップ付き物品。
［付記６］
非ループの１本紐は通すがその結び目は通さない形態の開閉環部材側紐通し結び目止め孔を備え、かつ、開閉環部に紐を出し入れ可能とする開閉操作形態の開閉部を備えてなる開閉部有り環部材と、
非ループの１本紐は通すがその結び目は通さない形態の環部材側紐通し結び目止め孔を備え、閉じ環部が前記開閉部有り環部材の前記開閉部に出し入れ可能な閉じ形態である閉じ環部材と、
前記開閉環部材側紐通し結び目止め孔あるいは前記閉じ環部材側紐通し結び目止め孔のいずれか一方に紐を通しその結び目で抜けない形態とされた一方紐取付け形態で設けられ、あるいは、紐と前記開閉口有り環部材および前記閉じ環部材が別体形態で設けられてなることを特徴とする付記５に記載のキャップ付き物品。
［付記７］
非ループの１本紐は通すがその結び目は通さない形態の環部材側紐通し結び目止め孔を備え、かつ、開閉環部に紐を出し入れ可能とする開閉操作形態の開閉部を備えてなる開閉部有り環部材と、
キャップ装着部位を有する物品本体と、
前記キャップ装着部位に装着するキャップと、
前記物品本体側あるいは前記キャップ側のいずれかの側に設けられた、非ループの１本紐は通すがその結び目および２本紐形態は通さない形態の紐通し結び目止め孔と、
前記紐通し結び目止め孔を設けない側である、前記物品本体側あるいは前記キャップ側のいずれかの側に設けられた、前記１本紐は通すが前記開閉部有り環部材は通さない形態の紐通し環部材止め孔と、
前記環部材側紐通し結び目止め孔に通され、結び目が形成された、前記開閉部有り環部材に取付け状態とされ、あるいは、前記開閉部有り環部材と別体とされた紐とからなることを特徴とするキャップ付き物品。
［付記８］
非ループの１本紐は通すがその結び目は通さない形態の開閉環部材側紐通し結び目止め孔を備え、かつ、開閉環部に紐を出し入れ可能とする開閉操作形態の開閉部を備えてなる開閉部有り環部材と、
非ループの１本紐は通すがその結び目は通さない形態の閉じ環部材側紐通し結び目止め孔を備え、閉じ環部が前記開閉部有り環部材の前記開閉部に出し入れ可能な閉じ形態である閉じ環部材と、
キャップ装着部位を有する物品本体と、
前記キャップ装着部位に装着するキャップと、
前記物品本体側に設けられた、１本紐は通すが前記開閉部有り環部材および前記閉じ環部材は通さない形態の物品側紐通し環部材止め孔と、
前記キャップ側に設けられた、１本紐は通すが前記開閉部有り環部材および前記閉じ環部材は通さない形態のキャップ側紐通し環部材止め孔と、
前記開閉環部材側紐通し結び目止め孔あるいは前記閉じ環部材側紐通し結び目止め孔のいずれか一方に通され、結び目が形成された、前記開閉部有り環部材あるいは前記閉じ環部材のいずれか一方に取付け状態とされ、あるいは、前記開閉部有り環部材および前記閉じ環部材とは別体とされた紐とからなることを特徴とするキャップ付き物品。
【００４３】
［付記Ｂ］
＜付記Ｂ１記載の発明＞
キャップ装着部位を有する物品本体と、
この物品本体側に設けられた、非ループの１本紐は通すがその結び目および２本紐形態は通さない形態の物品本体側紐通し結び目止め孔と、
前記キャップ装着部位に装着するキャップと、
このキャップ側に設けられた、非ループの１本紐は通すがその結び目および２本紐形態は通さない形態のキャップ側紐通し結び目止め孔と、とを備えるとともに、
前記物品本体側紐通し結び目止め孔に前記非ループの１本紐の一方端を通し、その出た紐部位に第１の結び目を形成し、
前記キャップ側紐通し結び目止め孔に前記非ループの１本紐の他方端を通し、その出た紐部位に第２の結び目を形成し、
以上のようにして、前記物品本体と前記キャップを前記非ループの１本紐によって繋ぐことを可能とした、あるいは、繋いでなることを特徴とするキャップ付き物品である。
物品本体側紐通し結び目止め孔に非ループの１本紐の一方端を通し、その出た紐部位に第１の結び目を形成し、キャップ側紐通し結び目止め孔に前記非ループの１本紐の他方端を通し、その出た紐部位に第２の結び目を形成し、以上のようにして、物品本体とキャップを前記非ループの１本紐によって繋ぐ（連結）ことを可能とした、あるいは、繋いで（連結）なることを特徴とするキャップ付き物品であるので、次に述べるような効果を奏する。
（１）物品本体とキャップを繋ぐ（連結する）ものが非ループの１本紐のみという、金属製環部材も円筒形金属部材も一切ない無い、とてもシンプルな景観形態とシンプル美観を実現するという効果を奏する。
（２）使用者自らが、身近な切断具であるハサミ、爪切り、カッターなどの紐を切断できる切断手段があれば、好みの長さ（色の異なる紐がある場合は好みの色の紐によって）の非ループの１本紐でキャップと物品本体を繋いで、物品本体とキャップを好みの非ループの１本紐で繋いだ形態を容易に形成可能にするという効果を奏する。
（３）環部材１０９や筒状金具１０８を一切有さない、非ループの１本紐のみであるので、従来の物に比べて低コストにできるという効果を奏する。
（４）物品本体、キャップの一方に取付け状態で、紐の他方からビーズなどを通し入れて、簡単に飾り物品による飾り付けができるという効果を奏する。
また、本発明の提供形態は、購入者ないし使用者自らが好みの長さの連結紐で連結することができるようにするのが最良の提供形態であり、その場合、紐をキャップおよび物品本体とは別体での提供となるので、紐による連結組立作業が必要なくなり、組み立てコストを解消することができるという効果を奏する。
＜付記Ｂ２記載の発明＞
前記物品本体側紐通し結び目止め孔に連通する物品本体側結び目収納部が設けられ、該物品本体側結び目収納部に前記第１の結び目が収納されるようにし、
前記キャップ側紐通し結び目止め孔に連通するキャップ側結び目収納部が設けられ、該キャップ側結び目収納部に前記第２の結び目が収納されるようにしてなることを特徴とする付記Ｂ１に記載のキャップ付き物品である。
付記Ｂ１記載の発明と同様な効果を奏するとともに、
物品本体側結び目収納部およびキャップ側結び目収納部に結び目が収納できるので、該結び目が物品本体およびキャップの外に突出し露出しないので、結び目によって美観が損なわれることが無いようにできるという効果を奏する。
＜付記Ｂ３記載の発明＞
前記物品本体と、前記キャップと、該物品本体と該キャップとは別体である非ループの１本紐とを備えてなるとともに、該非ループの１本紐によって前記物品本体と前記キャップを使用者が繋ぐことを可能としたことを特徴とする付記Ｂ１、２のいずれか１項に記載のキャップ付き物品である。
付記Ｂ１、２のいずれか１項に記載の発明と同様な効果を奏するとともに、非ループの１本紐が記物品本体および前記キャップとは別体で提供されるので、使用者が好みの紐長さにできるとともに、紐を新たなものに簡単に変えることができるという効果を奏する。
また、紐にビーズなどの飾り部材を通し取付けなど、飾りのあるものが簡単に形成できるという効果を奏する。
また、製造・組立工程において、紐による連結組立作業が必要なくなり、組み立てコストを解消することができるという効果を奏する。
＜付記Ｂ４記載の発明＞
前記非ループの１本紐を、色彩の異なる複数本を設けてなることを特徴とする付記Ｂ３記載のキャップ付き物品である。
付記Ｂ３記載の発明と同様な効果を奏するとともに、色彩の異なる非ループの１本紐が複数本あることになるので、好みの色の紐を選ぶ、紐の色を変えて楽しむなどのことができ、紐を変えてみようという遊び心を刺激するという効果を奏する。
＜付記Ｂ５記載の発明＞
非ループの１本紐は通すがその結び目は通さない形態の開閉環部材側紐通し結び目止め孔を備え、かつ、開閉環部に紐を出し入れ可能とする開閉操作形態の開閉部を備えてなる開閉部有り環部材が、前記開閉環部材側紐通し結び目止め孔に紐を通しその結び目で抜けない形態とされた紐取付け形態で設けられ、あるいは、紐と前記開閉部有り環部材が別体形態で設けられてなることを特徴とする付記Ｂ１〜４のいずれか１項に記載のキャップ付き物品である。
付記Ｂ１〜４のいずれか１項に記載の発明と同様な効果を奏するとともに、非ループの１本紐は通すがその結び目は通さない形態の開閉環部材側紐通し結び目止め孔を備え、かつ、開閉環部に紐を出し入れ可能とする開閉操作形態の開閉部を備えてなる開閉部有り環部材を設けたので、物品本体側紐通し結び目止め孔あるいはキャップ側紐通し結び目止め孔のいずれかを通り出た紐端を、開閉環部材側紐通し結び目止め孔に通し、結び目を形成して抜けない形態として、紐と開閉環部材を連結した連結形態とすることが可能とするものである。
これによって、バックの肩掛けバンド、バンクの握り、両端閉じ掛け棒体、壁のフックなどの掛け部位に掛け、開閉部有り環部材の開閉口を開いて紐を入れ閉じた状態とすることにより、掛けループを形成して、掛け部位から外れない掛け状態を実現でき、他方、開閉部有り環部材を使用しない、結び目によるキャップと物品本体との紐のみの連結形態もできる。よって、二つの連結形態のいずれかを選べる、紐が残っていれば、連結形態を変えることができるという効果を奏する。
【産業上の利用可能性】
【００４４】
本発明は、紛失し易いキャップを備えたキャップ付き物品を製造する産業で利用される。
【符号の説明】
【００４５】
１：キャップ付き物品、
２：キャップ装着部位、
３：物品本体、
４：物品本体側紐通し結び目止め孔、
５：キャップ、
６：キャップ本体、
７：キャップ側紐通し結び目止め孔、
８：第１の紐、
９：第２の紐、
１０：包装容器、
１１：端子収納部、
１２：物品本体側結び目収納部、
１３：キャップ側結び目収納部、
１４：第１の結び目、
１５：第２の結び目、
１６、１６ａ、１６ｂ：連結紐、
２０：物品本体側結び目収納部、
２１：キャップ側結び目収納部、
２２：キャップ付き物品、
２４：ビーズ、
２５：紐、
２６：飾り物品、
２７：スプリング環、
２９：キャップ付き物品、
３２：キャップ付き物品、
３３：印字体、
３４：キャップ装着部位、
３５：物品本体、
３６：物品本体側紐取付部、
３７：物品本体側紐通し結び目止め孔、
３８：物品本体側結び目収納部、
３９：キャップ、
４０：キャップ本体、
４１：キャップ側紐取付部、
４２：キャップ側紐通し結び目止め孔、
４３：キャップ側結び目収納部、
４４：傾斜面、
５０：物品本体側紐取付部、
５１：キャップ側紐取付部、
５２：キャップ付き物品、
６０：キャップ付き物品、
６１：物品本体、
６２：キャップ装着部位、
６３：紐取付部、
６４：物品本体側紐通し結び目止め孔、
６５：物品本体側結び目収納部、
６６：キャップ、
６７：キャップ本体、
６８：キャップ側紐通し結び目止め孔、
６９：キャップ側結び目収納部、
７０：紐巻き付け部、
７５：開閉部有り環部材、
７６：開閉部材付連結紐、
７７：掛け部位、
８０：開閉環部、
８１：ピン、
８２：紐取付け体、
８３：の開閉環部材側紐通し結び目止め孔、
８４：結び目収納部、
８５：操作突起、
８６：開閉部、
９１：肉盛部、
９２：閉じ環部、
９３：閉じ環部材、
９４：環部材側紐通し結び目止め孔、
９５：結び目収納部。
【図１】
2016033810.tif 000003
【図２】
2016033810.tif 000004
【図３】
2016033810.tif 000005
【図４】
2016033810.tif 000006
【図５】
2016033810.tif 000007
【図６】
2016033810.tif 000008
【図７】
2016033810.tif 000009
【図８】
2016033810.tif 000010
【図９】
2016033810.tif 000011
【図１０】
2016033810.tif 000012
【図１１】
2016033810.tif 000013
【図１２】
2016033810.tif 000014
【図１３】
2016033810.tif 000015
【図１４】
2016033810.tif 000016